(57)【要約】【解決手段】１つの実施形態では、本発明は、ＦＦＴウィンドウ位置を決定することと、遅延拡散を計算することとを備えるチャネル推定方法を備える。別の実施形態では、ＦＦＴウィンドウ位置を決定するステップは、ＦＦＴウィンドウの初期位置を設定することと、各タップのエネルギーを計算することと、各タップのエネルギーを時間平均することと、各タップの平均エネルギーを、全てのタップの平均エネルギーが乗じられた第１の閾値と比較することと、各タップの平均エネルギーを、エイリアスコンポーネント内の最大平均エネルギーが乗じられた第２の閾値と比較することと、タップの平均エネルギーが、エイリアスコンポーネント内の最大平均エネルギーが乗じられた第２の閾値よりも大きいのであれば、経路のセットを更新することと、ＦＦＴウィンドウ位置をリファインすることとを備える。【選択図】      図５
2008537446.tif 000002
【特許請求の範囲】
【請求項１】
ＦＦＴウィンドウ位置を決定することと、
遅延拡散を計算することと
を備えるチャネル推定方法。
【請求項２】
前記ＦＦＴウィンドウ位置を決定するステップは、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる中間平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項１に記載の方法。
【請求項３】
前記ＦＦＴウィンドウ位置を決定するステップは、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる最小平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項１に記載の方法。
【請求項４】
前記ＦＦＴウィンドウ位置を決定するステップは、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる最大平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項１に記載の方法。
【請求項５】
前記ＦＦＴウィンドウ位置を決定するステップは、
前記ＦＦＴウィンドウの初期位置を設定することと、
各タップのエネルギーを計算することと、
前記各タップのエネルギーを時間平均することと、
前記各タップの最初の経路仮説を、前記タップの全てにわたる中間平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、前記経路のセットを更新することと、
前記ＦＦＴウィンドウ位置を定めることと
を備える請求項１に記載の方法。
【請求項６】
前記ＦＦＴウィンドウの初期位置を設定するステップは、
最初の到着経路を避けることと、
推定されたチャネル応答の最初の成分のインデクスを定めることと、
推定されたチャネル応答の最後の成分のインデクスを定めることと、
前記推定されたチャネル応答の最初の成分のインデクスから、
前記推定されたチャネル応答の最後の成分のインデクスまで、前記ＦＦＴウィンドウにわたってチャネル応答を計算することと
を備える請求項２に記載の方法。
【請求項７】
前記ＦＦＴウィンドウ位置を定めるステップは、
最初の経路位置を定めることと、
最後の経路位置を定めることと、
前記最初の経路位置と前記最後の経路位置との差に、バックオフの２倍を加えたものが、周期的プレフィクス以下であれば、前記最初の経路位置から前記バックオフを引いた位置に、前記ＦＦＴウィンドウの開始点を設定することと、
前記最初の経路位置と前記最後の経路位置との差に、前記バックオフの２倍を加えたものが、前記周期的プレフィクスよりも大きければ、周期的プレフィクスに、前記最初の経路位置を加え、前記最後の経路位置を引いた位置の半分を、前記最初の経路位置から引いた位置を前記ＦＦＴウィンドウの開始点を設定することと
を備える請求項２に記載の方法。
【請求項８】
各タップのエネルギーを計算するステップは、各タップのチャネル応答の絶対値を平方することを備える請求項２に記載の方法。
【請求項９】
チャネルを推定する受信機であって、
入力と出力とを有するＲＦ受信機と、
前記ＲＦ受信機の出力に接続された入力と、出力とを有するＩＦ受信機と、
前記ＩＦ受信機の出力に接続された入力と、出力とを有するアナログ／デジタル変換器と、
入力と出力とを有する復号器と、
前記アナログ／デジタル変換器の出力に接続された入力と、前記復号器の入力に接続された出力とを有するプロセッサとを備え、
前記プロセッサは、
メモリと、
前記メモリに格納された命令を含むソフトウェアとを備え、
前記受信機は、
ＦＦＴウィンドウ位置を決定することと、
遅延拡散を計算することと
を備える前記命令を実行するように適応されている受信機。
【請求項１０】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる中間平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項９に記載の受信機。
【請求項１１】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる最小平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項９に記載の受信機。
【請求項１２】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる最大平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項９に記載の受信機。
【請求項１３】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの最初の経路の仮説を、前記タップの全てにわたる中間平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、前記経路のセットを更新することと、
前記ＦＦＴウィンドウ位置を定めることと
を備える請求項９に記載の受信機。
【請求項１４】
前記ＦＦＴウィンドウの初期位置を設定する命令は、
最初の到着経路を避けることと、
推定されたチャネル応答の最初の成分のインデクスを定めることと、
推定されたチャネル応答の最後の成分のインデクスを定めることと、
前記推定されたチャネル応答の最初の成分のインデクスから、前記推定されたチャネル応答の最後の成分のインデクスまで、前記ＦＦＴウィンドウにわたってチャネル応答を計算することと
を備える請求項１０に記載の受信機。
【請求項１５】
前記ＦＦＴウィンドウ位置を定める命令は、
最初の経路位置を定めることと、
最後の経路位置を定めることと、
前記最初の経路位置と前記最後の経路位置との差に、バックオフの２倍を加えたものが、周期的プレフィクス以下であれば、前記最初の経路位置から前記バックオフを引いた位置に、前記ＦＦＴウィンドウの開始点を設定することと、
前記最初の経路位置と前記最後の経路位置との差に、前記バックオフの２倍を加えたものが、前記周期的プレフィクスよりも大きければ、前記周期的プレフィクスに、前記最初の経路位置を加え、前記最後の経路位置を引いた位置の半分を、前記最初の経路位置から引いた位置を前記ＦＦＴウィンドウの開始点を設定することと
を備える請求項１０に記載の受信機。
【請求項１６】
各タップのエネルギーを計算することは、各タップのチャネル応答の絶対値を平方することを備える請求項１０に記載の受信機。
【請求項１７】
チャネルを推定するプロセッサであって、
メモリと、
前記メモリに格納された命令を備えるソフトウェアとを備え、
前記プロセッサは、
ＦＦＴウィンドウ位置を決定することと、
遅延拡散を計算することと
を備える前記命令を実行するように適応されているプロセッサ。
【請求項１８】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる中間平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項１７に記載のプロセッサ。
【請求項１９】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる最小平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項１７に記載のプロセッサ。
【請求項２０】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる最大平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項１７に記載のプロセッサ。
【請求項２１】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの最初の経路仮説を、前記タップの全てにわたる中間平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、前記経路のセットを更新することと、
前記ＦＦＴウィンドウ位置を定めることと
を備える請求項１７に記載のプロセッサ。
【請求項２２】
前記ＦＦＴウィンドウの初期位置を設定する命令は、
最初の到着経路を避けることと、
推定されたチャネル応答の最初の成分のインデクスを定めることと、
推定されたチャネル応答の最後の成分のインデクスを定めることと、
前記推定されたチャネル応答の最初の成分のインデクスから、前記推定されたチャネル応答の最後の成分のインデクスまで、前記ＦＦＴウィンドウにわたってチャネル応答を計算することと
を備える請求項１８に記載のプロセッサ。
【請求項２３】
前記ＦＦＴウィンドウ位置を定める命令は、
最初の経路位置を定めることと、
最後の経路位置を定めることと、
前記最初の経路位置と前記最後の経路位置との差に、バックオフの２倍を加えたものが、周期的プレフィクス以下であれば、前記最初の経路位置から前記バックオフを引いた位置に、前記ＦＦＴウィンドウの開始点を設定することと、
前記最初の経路位置と前記最後の経路位置との差に、前記バックオフの２倍を加えたものが、前記周期的プレフィクスよりも大きければ、前記周期的プレフィクスに、前記最初の経路位置を加え、前記最後の経路位置を引いた位置の半分を、前記最初の経路位置から引いた位置を前記ＦＦＴウィンドウの開始点を設定することと
を備える請求項１８に記載のプロセッサ。
【請求項２４】
各タップのエネルギーを計算する命令は、各タップのチャネル応答の絶対値を平方することを備える請求項１８に記載のプロセッサ。
【請求項２５】
チャネルを推定する受信機手段であって、
入力と出力とを有するＲＦ受信機手段と、
前記ＲＦ受信機手段の出力に接続された入力と、出力とを有するＩＦ受信機手段と、
前記ＩＦ受信機手段の出力に接続された入力と、出力とを有するアナログ／デジタル変換器手段と、
入力と出力とを有する復号器手段と、
前記アナログ／デジタル変換器手段の出力に接続された入力と、前記復号器手段の入力に接続された出力とを有するプロセッサ手段とを備え、
前記プロセッサ手段は、
メモリ手段と、
前記メモリ手段に格納された命令を備えるソフトウェアとを備え、
前記受信機手段は、
ＦＦＴウィンドウ位置を決定することと、
遅延拡散を計算することと
を備える前記命令を実行するように適応されている受信機手段。
【請求項２６】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる中間平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項２５に記載の受信機手段。
【請求項２７】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる最小平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項２５に記載の受信機手段。
【請求項２８】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる最大平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項２５に記載の受信機手段。
【請求項２９】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの最初の経路仮説を、前記タップの全てにわたる中間平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、前記経路のセットを更新することと、
前記ＦＦＴウィンドウ位置を定めることと
を備える請求項２５に記載の受信機手段。
【請求項３０】
前記ＦＦＴウィンドウの初期位置を設定する命令は、
最初の到着経路を避けることと、
推定されたチャネル応答の最初の成分のインデクスを定めることと、
推定されたチャネル応答の最後の成分のインデクスを定めることと、
前記推定されたチャネル応答の最初の成分のインデクスから、前記推定されたチャネル応答の最後の成分のインデクスまで、前記ＦＦＴウィンドウにわたってチャネル応答を計算することと
を備える請求項２６に記載の受信機手段。
【請求項３１】
前記ＦＦＴウィンドウ位置を定める命令は、
最初の経路位置を定めることと、
最後の経路位置を定めることと、
前記最初の経路位置と前記最後の経路位置との差に、バックオフの２倍を加えたものが、周期的プレフィクス以下であれば、前記最初の経路位置から前記バックオフを引いた位置に、前記ＦＦＴウィンドウの開始点を設定することと、
前記最初の経路位置と前記最後の経路位置との差に、前記バックオフの２倍を加えたものが、前記周期的プレフィクスよりも大きければ、前記周期的プレフィクスに、前記最初の経路位置を加え、前記最後の経路位置を引いた位置の半分を、前記最初の経路位置から引いた位置を前記ＦＦＴウィンドウの開始点を設定することと
を備える請求項２６に記載の受信機手段。
【請求項３２】
各タップのエネルギーを計算する命令は、各タップのチャネル応答の絶対値を平方することを備える請求項２６に記載の受信機手段。
【請求項３３】
チャネルを推定するプロセッサ手段であって、
メモリ手段と、
前記メモリ手段に格納された命令を備えるソフトウェアとを備え、
前記プロセッサ手段は、
ＦＦＴウィンドウ位置を決定することと、
遅延拡散を計算することと
を備える前記命令を実行するように適応されているプロセッサ手段。
【請求項３４】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる中間平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項３３に記載のプロセッサ手段。
【請求項３５】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる最小平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項３３に記載のプロセッサ手段。
【請求項３６】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの平均エネルギーを、前記タップの全てにわたる最大平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、経路のセットを更新することと、
前記ＦＦＴウィンドウ位置を定めることと
を備える請求項３３に記載のプロセッサ手段。
【請求項３７】
前記ＦＦＴウィンドウ位置を決定する命令は、
前記ＦＦＴウィンドウの初期位置を設定することと、
各タップのエネルギーを計算することと、
前記各タップのエネルギーを時間平均することと、
前記各タップの最初の経路仮説を、前記タップの全てにわたる中間平均エネルギーが乗じられた第１の閾値と比較することと、
前記各タップの平均エネルギーを、エイリアス成分における最大平均エネルギーが乗じられた第２の閾値と比較することと、
前記タップの平均エネルギーが、エイリアス成分における最大平均エネルギーが乗じられた第２の閾値よりも大きい場合には、前記経路のセットを更新することと、
前記ＦＦＴウィンドウ位置を定めることと
を備える請求項３３に記載のプロセッサ手段。
【請求項３８】
前記ＦＦＴウィンドウの初期位置を設定する命令は、
最初の到着経路を避けることと、
推定されたチャネル応答の最初の成分のインデクスを定めることと、
推定されたチャネル応答の最後の成分のインデクスを定めることと、
前記推定されたチャネル応答の最初の成分のインデクスから、前記推定されたチャネル応答の最後の成分のインデクスまで、前記ＦＦＴウィンドウにわたってチャネル応答を計算することと
を備える請求項３４に記載のプロセッサ手段。
【請求項３９】
前記ＦＦＴウィンドウ位置を定める命令は、
最初の経路位置を定めることと、
最後の経路位置を定めることと、
前記最初の経路位置と前記最後の経路位置との差に、バックオフの２倍を加えたものが、周期的プレフィクス以下であれば、前記最初の経路位置から前記バックオフを引いた位置に、前記ＦＦＴウィンドウの開始点を設定することと、
前記最初の経路位置と前記最後の経路位置との差に、前記バックオフの２倍を加えたものが、前記周期的プレフィクスよりも大きければ、前記周期的プレフィクスに、前記最初の経路位置を加え、前記最後の経路位置を引いた位置の半分を、前記最初の経路位置から引いた位置を前記ＦＦＴウィンドウの開始点を設定することと
を備える請求項３４に記載のプロセッサ手段。
【請求項４０】
各タップのエネルギーを計算する命令は、各タップのチャネル応答の絶対値を平方することを備える請求項３４に記載のプロセッサ手段。
【発明の詳細な説明】
【技術分野】
【０００１】
本発明は、一般に、多元接続システムを同期させる方法及び装置に関する。更に詳しくは、本発明は、符号分割多元接続（ＣＤＭＡ）システム、直交周波数分割多重（ＯＦＤＭ）システム、あるいはこれら２つが混成したシステムを同期させる斬新かつ改善された方法及び装置に関する。
（３５Ｕ．Ｓ．Ｃ．§１１９の下の優先権主張）
【０００２】
本特許出願は、「プラチナブロードキャストチャネル推定器のためのＦＦＴウィンドウの位置と遅延拡散とを決定する方法」(METHOD OF DETERMINING THE LOCATION OF THE FFT WINDOW AND THE DELAY SPREAD FOR THE PLATINUM BROADCAST CHANNEL ESTIMATOR)と題され、２００５年４月１８日に出願され、本願の譲受人に譲渡され、本明細書で参照によって明確に組み込まれている米国仮出願６０／６７２，５７３号の優先権を主張する。
【背景技術】
【０００３】
先行技術では、ＣＤＭＡサーチャ情報と、直交周波数分割多重（ＯＦＤＭ）チャネル推定情報との何れかが同期のために使用される。ＣＤＭＡサーチャは、セクタ及び経路を探索する。様々なセクタからの様々な経路の到着時間を識別することによって、ＣＤＭＡサーチャは、受信した信号をパイロット信号と相関付ける。経路は、チップ遅延の差に基づいて区別することができる。つまり、異なる経路は、異なる遅延を持っている。
【０００４】
ＯＤＦＭチャネル推定を用いて、経路の全ては、インパルス応答＾ｈによって表わされる。経路を組み合わせるためにチャンネル推定が使用されてもよい。チャネル遅延拡散は、最大の経路遅延と最小の経路遅延との差に等しいインパルス応答の範囲又は幅である。
【０００５】
ＯＦＤＭは、マルチキャリア送信技術であり、利用可能なスペクトルを多くのキャリアに分割する。高速データ信号は、何十又は何百もの低速信号に分割される。これら低速信号は、サブキャリア周波数（「サブキャリア」）として知られているラジオ周波数（ＲＦ）信号内の対応する周波数によって並行して送信される。サブキャリアはそれぞれ、低いレートのデータストリームのうちの１つによって変調される。したがって、ＯＤＦＭ信号は、異なるサブキャリア周波数を備えた多くの信号の合計である。
【０００６】
更に、キャリアは全て互いに直交している。キャリアは直交しているので、キャリアはそれぞれ、シンボル周期にわたって整数のサイクルを持っている。これにより、各キャリアのスペクトルは、システム内の他のキャリアの各々の中心周波数においてヌルを持っている。図１を参照されたい。結果として、キャリア間の干渉が最小となり、キャリアが、理論上可能な限り近くに配置される。
【０００７】
ＯＦＤＭ信号のベースバンド処理のために、離散的フーリエ変換が使用される。離散的フーリエ変換は、並列なデータブロックをそれぞれ変調及び復調する逆高速フーリエ変換（ＩＦＦＴ）及び高速フーリエ変換（ＦＦＴ）として実施される。１つの変換中に生成されるサブキャリアのセットは、ＯＦＤＭシンボルを定義する。これらサブキャリアは、ＩＦＦＴによって生成された時間サンプルのチャネルによって連続的に送信される。従って、サブキャリアシンボルの持続時間と同じであるＯＦＤＭシンボルの持続期間は、変換の時間ウィンドウと等しい。
【０００８】
このようにしてＯＦＤＭ信号を生成することは、非分散チャネルを介して送信された場合、ＯＦＤＭ信号がそのサブキャリア直交特性を保持するだろうことを保証する。しかしながら、ほとんどのチャネルは分散的である。従って、重要な時間及び／又は周波数分散が、送信された信号へ導かれる。これらの悪化は、キャリア間インタフェース（ＩＣＩ）及びシンボル間インタフェース（ＩＳＩ）を導き、サブキャリアの直交性を壊す恐れがある。
【０００９】
マルチパスを含む時間分散に対する防護のために、チャネルインパルス応答の長さと等しいガード間隔が、連続したＯＦＤＭシンボル間に導入される。従って、周期的な拡張ＯＦＤＭシンボルは、ガード間隔、及び、情報が送信される有用な部分からなる。このガード間隔は、一般に、ＩＦＦＴ出力の周期的な拡張（つまり、周期的な変換部分のうちの周期的再送信）によって実施される。送信効率を維持するために、システム設計者は一般に、ガード間隔を、有用なＯＦＤＭシンボル持続期間の１／４未満に制限しようと努める。
【００１０】
図２は、従来技術に従う一般的なＯＦＤＭ送信機のブロック図である。ＯＦＤＭ送信機１０は、その入力として、ベースバンドデータビット１２のストリームを受信する。これら入力されたデータビット１２は、エンコーダ１４に直ちに供給される。エンコーダ１４は、これら入力されたビット１２に対して誤り訂正及び／又は誤り検出冗長を導入するためにブロック及び／又は畳み込み符合化スキームを用いる。
【００１１】
ＯＦＤＭ通信システムでは、データは一連の時間領域バースト内で通信される。各時間領域バーストを形成するために、デジタル信号プロセッサ（ＤＳＰ）１６によって、デジタル時間領域ＯＦＤＭシンボルを生成する周波数領域シンボルのグループにＩＦＦＴが適用される。ＤＳＰ１６はまた、デジタル時間領域ＯＦＤＭシンボルに関し、付加的なスペクトル波形整形を行なう。更に、ＤＳＰ１６は、周期的なプレフィックス又はガード間隔を加える。
【００１２】
次に、デジタル時間領域ＯＦＤＭシンボルが、デジタル／アナログ変換器２０においてアナログ信号に変換され、次に、ＩＦ送信機４２において中間周波数（ＩＦ）に変換される。そして、この合成ＩＦ  ＯＦＤＭ信号は、ラジオ周波数（ＲＦ）送信機４０に渡される。ラジオ周波数（ＲＦ）送信機４０は、最終増幅及び送信メディアを介した伝搬に先立って、ＩＦ  ＯＦＤＭ信号を、所望の選択可能なキャリア周波数へアップコンバートする。アップコンバートは一般に、ＩＦ信号を、可変周波数発振器信号と混合することによって達成される。キャリア周波数は、発振器周波数を変えることにより変えられる。
【００１３】
図３は、周期的プレフィクスとして知られているガード間隔によって分離されたユーザデータのブロックとしてＯＦＤＭ信号が送信されることを例示する。周期的プレフィクスは、ユーザデータの隣接ブロック部分のコピーであり、マルチパスフェージングによって引き起こされるシンボル間インタフェース（ＩＳＩ）を低減するために使用される。更に詳しくは、当業者によって知られているように、ユーザデータとは逆に、１つのみの周期的プレフィックスのみがＩＳＩによって影響を受ける。したがって、ＯＦＤＭ受信機によって周期的プレフィクスを除去することによって、受信したＯＦＤＭ信号からＩＳＩ効果を取り除く。
【００１４】
従来技術では、ＯＤＦＭシステムが、離散的な周波数領域チャネル推定器情報を用いて同期を達成している一方、ＣＤＭＡシステムは、ＣＤＭＡサーチャ情報を用いて同期している。ＣＤＭＡサーチャは、マルチパスおよび多数のセクタを識別するために、擬雑音（ＰＮ）相関を使用する。ＯＦＤＭチャネル推定器は、チャネルインパルス応答を識別するために、パイロットトーン位置における周波数応答を使用する。しかしながら、弱い又は低い電力信号を検出する場合、ＣＤＭＡサーチャはそれほど有効ではない。マルチパスの成分は、検知されなければ、信号復調および干渉抑制内に含まれないだろう。その結果、ＳＮ比はより低くなる。他方、チャネル遅延拡散が、パイロットトーンの数を超える場合、ＯＦＤＭチャネル推定は、エイリアシングによって悪化する。これは、その長さがパイロットトーンの数の２倍であるチャネル推定を受け入れるために、隣接したＯＦＤＭシンボルのパイロットトーンがずれている（staggered）場合も然りである。
【発明の開示】
【００１５】
上記を考慮して、本発明の記述された特徴は一般に、マルチパスチャネル上で音声又はデータを通信する１又は複数の改善されたシステム、方法、及び／又は装置に関連する。
【００１６】
１つの実施形態では、本発明は、ＦＦＴウィンドウ位置を決定することと、遅延拡散を計算することとを備えるチャネル推定方法を備える。
【００１７】
別の実施形態では、ＦＦＴウィンドウ位置を決定するステップは、ＦＦＴウィンドウの初期位置を設定することと、各タップのエネルギーを計算することと、各タップのエネルギーを時間平均することと、各タップの平均エネルギーを、全てのタップの平均エネルギーが乗じられた第１の閾値と比較することと、各タップの平均エネルギーを、エイリアスコンポーネント内の最大平均エネルギーが乗じられた第２の閾値と比較することと、タップの平均エネルギーが、エイリアスコンポーネント内の最大平均エネルギーが乗じられた第２の閾値よりも大きいのであれば、経路のセットを更新することと、ＦＦＴウィンドウ位置をリファインすることとを備える。
【００１８】
別の実施形態では、本発明は、チャネルを推定する受信機を備える。この受信機は、入力及び出力を有するＲＦ受信機と、ＲＦ受信機の出力に接続された入力と、出力とを有するＩＦ受信機と、ＩＦ受信機の出力に接続された入力と、出力とを有するアナログ／デジタル変換器と、入力及び出力を有する復号器と、アナログ／デジタル変換器の出力に接続された入力と、前記復号器の入力に接続された出力とを有し、更に、メモリ、及び、メモリに格納された命令を備えるソフトウェアを備えたプロセッサとを備える。受信機は更に、ＦＦＴウィンドウ位置を決定することと、遅延拡散を計算することとを備えるメモリ内に格納されたこの命令を実行するように適応されている。
【００１９】
別の実施形態では、本発明は、チャネルを推定するプロセッサを備える。このプロセッサは、メモリと、メモリに格納された命令を備えるソフトウェアとを備える。プロセッサは、ＦＦＴウィンドウ位置を決定することと、遅延拡散を計算することとを備えるメモリ内に格納されたこの命令を実行するように適応されている。
【００２０】
本発明の適用範囲の更なる範囲は、以下の詳細説明、特許請求の範囲、及び図面から明らかになるだろう。しかしながら、本発明の精神及び範囲内での様々な変更及び修正が、当業者に明らかになるであろうから、詳細説明及び具体例は、本発明の好適な実施形態を示す一方、例示のみによって与えられることが理解されるべきである。
【発明を実施するための最良の形態】
【００２１】
本発明は、以下に与えられた詳細説明、特許請求の範囲、及び添付図面からより完全に理解されるようになるだろう。
【００２２】
本明細書において、用語「例示的」（illustrative）は、「例、インスタンス、又は例示として役立つ」ことを意味するために使用される。本明細書で「例示的」として説明される何れの実施形態も、他の実施形態に対して好適であるとか有利であるとか必ずしも解釈される必要はない。
【００２３】
本方法及び装置は、ＣＤＭ波形及びＯＦＤＭ波形が同じ送信信号で時分割多重されるシステムに適用可能である。本方法及び装置は、ＯＦＤＭシンボルを同期させることにより、制約のない拡散遅延がある状態における同期性能を改善するために、ＣＤＭＡサーチャ情報及びチャネル推定との両方を用い、チャネル推定のためのチャネル拡散遅延を決定する。また、ＣＤＭＡパイロットからのＣＤＭＡサーチャ情報と、ＯＦＤＭパイロットトーンからのチャネル推定値との両方を組み合わせる。更に、本方法及び装置は、ＯＦＤＭチャネル推定値を用いて、エイリアス解決のためにＣＤＭＡサーチャと弱い経路とを検出する。
【００２４】
ＯＤＦＭチャネル推定の場合、パイロットトーンが信号へ挿入される。パイロットトーンは、ある既知の周波数において、既知のデータを含んでいる。ＯＦＤＭ通信装置は、ＦＦＴ回路によって受信信号に関する時間−周波数変換を行うことによって、伝搬経路の周波数応答推定値を計算する。更に、受信機に値が知られているパイロットシンボルを用いて、受信信号について虚数乗法を行う。これは、パイロットトーンに関連した周波数におけるチャネル周波数応答の推定値を与える。既知の周波数においてチャネルを測定し、かつ、パイロット信号に関してＩＦＦＴを行なうことによって、タイミングを推測することができる。上記アプローチにより、Ｐ個のパイロットトーンを持つＯＦＤＭシンボルは、チャネルインパルス応答内の最大Ｐ個のタップまでを推定するために使用することができる。隣接トーン内のパイロットトーンの位置は、互いに（ｗ，ｒ，ｔ．）に関してずれている（staggered）と仮定する。パイロット位置が、偶数のパイロットトーンと奇数のパイロットトーンとの２つの構成の間を交互する場合、我々は、このずれた構成を利用して、長さ２Ｐタップのチャネルインパルス応答を推定する。このアプローチが、低ドップラ拡散（遅いフェージングチャネル）において良好に作用する一方、この推定処理は、高ドップラ拡散（速いフェージングチャネル）においてＰ個のチップが分離したキャンセルされないエイリアスタップを引き起こす。何れの場合も、チャネルインパルス応答が、Ｐ個のタップからなる長さを越えるのであれば、ＯＦＤＭチャネル推定器は、チャネルインパルス応答における原因となるチャネルタップと、原因とならないチャネルタップとを区別することができない。本発明は、高いドップラを持つチャネルのためのキャンセルされないエイリアス問題を緩和する方法を提案し、大きな遅延拡散を持つチャネルのための原因となる／原因とならないタップ解決問題を解決する。
【００２５】
図４は、本発明に従ったＯＦＤＭ受信機６８のブロック図である。ＯＦＤＭ受信機６８では、ＲＦ受信機７０が、ＲＦ  ＯＦＤＭ変調キャリアをダウンコンバートし、受信ＩＦ  ＯＦＤＭ信号を得る。受信ＩＦ  ＯＦＤＭ信号は、ＩＦ受信機７２において、キャリア周波数からＩＦへダウンコンバートされる。ＯＦＤＭ信号はその後、アナログ／デジタル変換器（ＡＤＣ）９２へ渡され、そこでデジタル化される。次に、ＤＳＰ／ＦＦＴプロセッサ１００において、周期的プレフィクスが取り除かれ、オリジナルの周波数領域シンボルを復元するために、ＦＦＴが適用される。
【００２６】
復号器１０２は、ＤＳＰ１００から配信された周波数領域サブシンボルのシーケンスから、送信されたデータビットを復元する。復号器１０２は、データビット１０４のストリームを得るために周波数領域サブシンボルを復号する。データビット１０４は、ＯＦＤＭ送信機１０に供給されたデータビット１２のストリームと一致すべきである。
【００２７】
ＯＦＤＭ受信機６８は、チャネルを介して送信されたＯＦＤＭ信号を適切に受信し、かつ、受信した信号からシンボルを復調するために、データフレーム内の各シンボルの始まりの正確なタイミングを決定する。正確なタイミングが知られていない場合、受信機６８は、周期的プレフィクスを高い信頼性で取り除くことも、サンプルのＦＦＴを計算する前に個々のシンボルを正確に分離することもできないかもしれない。これが生じる場合、ＯＦＤＭ信号から復調されたサブシンボルのシーケンスは正しくなく、送信されたデータビットは、正確に復元されないかもしれない。
【００２８】
次のステップは、ＦＦＴウィンドウ位置及びチャネル遅延拡散を決定するために、現在のチャネル推定方法及び装置によって講じられる。図４では、本発明のＤＳＰ１００が、メモリ４４を含むものとして示される。以下に説明され、図５乃至図６のフローチャートで開示されるステップは、メモリ４４内に配置されたソフトウェア又はファームウェア４２内に配置された命令として格納される。メモリ４４は、プロセッサ１００内に配置されるか、あるいは別々に配置されうる。
【００２９】
（ＦＦＴウィンドウの初期位置の設定（２００））
本方法及び装置の最初のステップは、ＦＦＴウィンドウの初期位置を設定することを含む。ｄｆｉｒｓｔを、サーチャによって識別される最も早い、すなわち最初の経路のタイミングとし、ｄｌａｓｔを、最後の経路のタイミングとする。サーチャ結果に基づいて、最初の到着経路からＮｃｕｒｓｏｒ個のチップを取り去る（back off）（２１０）。これは、波形のスペクトルを、スペクトルマスクと一致するように整形するパルス整形フィルタ、送信整形フィルタ、及び受信機マッチトフィルタの拡散効果を説明するために使用される。従って、Ｎｃｕｒｓｏｒは、パルス整形による前カーソル（又は後カーソル）の想定長さである。１つの実施形態では、Ｎｃｕｒｓｏｒ（Ｎｂａｃｋｏｆｆとも称することができる）は６個のチップである。これはＦＦＴの開始点である。
【００３０】
次に、パラメータＬｍａｘ及びＬｍｉｎを定義する（２２０）。  
【数１】
2008537446.tif 000003
【００３１】
ここで、Ｎｃｐは、周期的プレフィクスチップの数である。周期的プレフィクスは、ＯＤＦＭ波形に特有である。それは、時間分散的な方法でトーン内の直交性を保証するために送信波形内で使用される追加チップからなる。Ｐは、ＯＤＦＭシンボル毎のパイロットトーンの数である。１つの実施形態では、パイロットトーン数＝６４であり、ＯＤＦＭトーンの総数＝３２０である。第２の実施形態では、３６０トーンモードについてＰ＝４０である。Ｋ＋及びＫ−は定数である。１つの実施形態では、Ｋ＋及びＫ−はともに１６個のチップに等しい。Δｄ＝ｄｌａｓｔ−ｄｆｉｒｓｔである。Ｌｍａｘは、推定されたチャネルインパルス応答における最後の重要成分のインデクスである。
【００３２】
Ｌｍｉｎ＝＝Ｌｍａｘ−（２Ｐ−１）。Ｌｍｉｎは、推定されたチャネルインパルス応答における最初の重要成分のインデクスである。
【００３３】
次に、チャネルインパルス応答が、遅延範囲［Ｌｍｉｎ，Ｌｍａｘ］に制限されると仮定することにより、（隣接するＯＦＤＭシンボル上でずれているＯＦＤＭパイロットトーンについて測定された）その周波数応答から、チャネルインパルス応答を計算する。このように、ＣＤＭＡサーチャは、チャネルインパルス応答の原因となる成分、及び原因とならない成分を解決するために使用される。
【００３４】
ウィンドウにわたるサイズがＬｍｉｎからＬｍａｘの範囲をとる推定チャネルインパルスは＾ｈ（Ｌｍｉｎ：Ｌｍａｘ）である。ここで、インパルス関数＾ｈは、ＬｍｉｎからＬｍａｘまでの各Ｌの値について計算される（２３０）。ｈ（Ｌｍｉｎ）は、最小の、すなわち、ウィンドウの開始点におけるチャネルインパルス応答を示す。ｈ（Ｌｍａｘ）は、最大の、すなわち、ウィンドウの終了点におけるチャネルインパルス応答を示す。これは、ＬｍｉｎとＬｍａｘとの差＝２Ｐである場合、２Ｐタップ時間領域チャネル推定値をもたらす。１つの実施形態では、Ｐ＝６４であり、タップの総数＝１２８である。
【００３５】
（各タップのエネルギーの計算（３００））
次に、以下の式を用いて、ｉ＝Ｌｍｉｎからｉ＝Ｌｍａｘまでの各タップについてエネルギーを計算する。
【００３６】
Ｅ（Ｌｍｉｎ：Ｌｍａｘ）＝｜＾ｈ（Ｌｍｉｎ：Ｌｍａｘ）｜２である。ここで、｜＾ｈ（Ｌｍｉｎ：Ｌｍａｘ）｜２は、ｉ＝ＬｍｉｎからＬｍａｘにおけるチャネルのインパルス応答の平方絶対値を表わす。
【００３７】
（各タップのエネルギーの時間平均（４００））
次に、ＯＦＤＭチャネル推定更新間隔の単位で表現され、時間定数Ｔｃを用いた式  
【数２】
2008537446.tif 000004
【００３８】
によって表される１−ｔａｐ  ＩＩＲフィルタを用いて、ｉ＝Ｌｍｉｎからｉ＝Ｌｍａｘまでの各タップのエネルギーを時間平均する。
【数３】
2008537446.tif 000005
【００３９】
Ｔｃはフィルタ帯域幅ＢＷに反比例する。Ｔｃが大きいほど、帯域幅ＢＷは狭くなる。これは、より遅いトラッキングを伴うより良好な雑音拒絶を示す。
【００４０】
（全てのタップにわたった中間平均エネルギーが乗じられた第１の閾値と、各タップの平均エネルギーとの比較（５００））
ＬｍｉｎからＬｍａｘまでの全てのタップにわたった中間平均エネルギーが乗じられた第１の閾値θ１と、各タップＬの平均エネルギーとを比較する。ここで、  
【数４】
2008537446.tif 000006
【００４１】
は、全てのタップにわたった中間平均エネルギーに等しい。
【数５】
2008537446.tif 000007
【００４２】
タップＬの平均エネルギーＡｖｅＥ（Ｌ）が、全てのタップにわたった中間平均エネルギーが乗じられた第１の閾値θ１よりも大きいかを判定する（５３０）。タップＬの平均エネルギーＡｖｅＥ（Ｌ）が、全てのタップわたった中間平均エネルギーが乗じられた第１の閾値θ１よりも大きい場合、第２の比較がなされる。タップＬのエネルギーＡｖｅＥ（Ｌ）が小さい場合、そのタップは、信号を計算するために使用される経路のセットＳに含まれていない（５５０）。
【００４３】
（±Ｐ個のチャネルタップによって分離される潜在的なシンボル毎のエイリアス成分内の最大平均エネルギーが乗じられた第２の閾値と、各タップの平均エネルギーとの比較（６００））
次に、±Ｐ個のチャネルタップによって分離される潜在的なシンボル毎のエイリアス成分内の最大平均エネルギーが乗じられた第２の閾値θ２と、各タップの平均エネルギーとを比較する。ここで、  
【数６】
2008537446.tif 000008
【００４４】
は、±Ｐ個のチャネルタップによって分離される潜在的なシンボル毎のエイリアス成分内の最大平均エネルギーに等しい。
【数７】
2008537446.tif 000009
【００４５】
この閾値テストは、実際のチャネルインパルス応答内の（Ｌ＋Ｐ）番目又は（Ｌ−Ｐ）番目のチャネルタップに関連するキャンセルされていないエイリアス成分から得られるＬにおいて、ゴースト経路を除去するのに役立つ。キャンセルされていないエイリアス成分は、高ドップラ拡散チャネル内の隣接ＯＦＤＭシンボル間の迅速なチャネル変化によって引き起こされうる。
【００４６】
タップＬの平均エネルギーＡｖｅＥ（Ｌ）が、±Ｐ個のチャネルタップによって分離される潜在的なシンボル毎のエイリアス成分内の最大平均エネルギーが乗じられた第２の閾値θ２よりも大きいかを判定する（６３０）。タップＬのエネルギーＡｖｅＥ（Ｌ）が小さいのであれば、そのタップは、信号を計算するために使用される経路のセットＳに含まれていない（６５０）。タップＬの平均エネルギーＡｖｅＥ（Ｌ）が大きいのであれば、そのタップは、信号を計算するために使用される経路のセットＳに含まれている。従って、Ｓはこの経路を含むように更新される（６６０）。
【００４７】
１つの実施形態では、θ１＝−２２ｄｂであり、θ２＝−１７ｄｂである。
【００４８】
（最終的なＦＦＴウィンドウ位置の定義（７００））
ｎｍｉｎ＝ｍｉｎ｛Ｓ｝及びｎｍａｘ＝ｍａｘ｛Ｓ｝と定義する。ここでｎｍｉｎは、セットＳ内の最初の経路位置であり、ｎｍａｘは、セットＳ内の最後の経路位置であり、Ｓは、信号を計算する場合に含まれる経路のセットである（７００）。ｎｍｉｎは、受信機側におけるＦＦＴウィンドウの開始点を決める。
【数８】
2008537446.tif 000010
【００４９】
である場合（７２０）、ＦＦＴ位置の開始点は  
【数９】
2008537446.tif 000011
【００５０】
となる（７２５）。
【００５１】
そうでない場合には、ＦＦＴ位置の開始点は  
【数１０】
2008537446.tif 000012
【００５２】
となる（７３０）。
【００５３】
（チャネル推定のための拡散遅延の計算（８００））
チャネル推定のための遅延拡散は、以下の式を用いて計算される。
【数１１】
2008537446.tif 000013
【００５４】
あるいは、重要ではないチャネルタップを省く（zero out）することにより、チャネル推定器において、より高い雑音抑制を達成することができる。これは、Ｓ内のタップの周りの前カーソル及び後カーソルのみに対応するタップを含めることによって達成することができる。
【００５５】
（各タップの平均エネルギーが、全てのタップにわたる最小平均エネルギーが乗じられた第１の閾値と比較される別の実施形態（５００’））
上述した方法におけるステップ５００はステップ５００’によって代替される。ステップ５００’では、各タップＬの平均エネルギーが、ＬｍｉｎからＬｍａｘまでの全てのタップにわたる最小平均エネルギーが乗じられた第１の閾値β１と比較される。ここで、ｍｉｎ｛ＡｖｅＥ（ｉ）｝は、全てのタップにわたる最小平均エネルギーに等しい。
【数１２】
2008537446.tif 000014
【００５６】
タップＬの平均エネルギーＡｖｅＥ（Ｌ）が、全てのタップの最小平均エネルギーが乗じられた第１の閾値β１よりも大きいかを判定する（５３０’）。タップＬの平均エネルギーＡｖｅＥ（Ｌ）が、全てのタップにわたる最小平均エネルギーが乗じられた第１の閾値β１よりも大きい場合、第２の比較がなされる。タップＬのエネルギーＡｖｅＥ（Ｌ）が小さい場合、そのタップは、信号を計算するために使用される経路のセットＳに含まれていない。なぜなら、この信号は、雑音最低値（floor）未満となり、使用するには弱すぎるからである（５５０’）。
【００５７】
（各タップの平均エネルギーが、全てのタップにわたる最大平均エネルギーが乗じられた第１の閾値と比較される別の実施形態（５００’’））
上述した方法におけるステップ５００はステップ５００’’によって代替される。ステップ５００’’では、各タップＬの平均エネルギーが、ＬｍｉｎからＬｍａｘまでの全てのタップにわたる最大平均エネルギーが乗じられた第１の閾値  
【数１３】
2008537446.tif 000015
【００５８】
と比較される。ここで、ｍａｘ｛ＡｖｅＥ（ｉ）｝は、全てのタップにわたる最大平均エネルギーに等しい。  
【数１４】
2008537446.tif 000016
【００５９】
タップＬの平均エネルギーＡｖｅＥ（Ｌ）が、全てのタップにわたる最大平均エネルギーが乗じられた第１の閾値  
【数１５】
2008537446.tif 000017
【００６０】
よりも大きいかを判定する（５３０’’）。タップＬの平均エネルギーＡｖｅＥ（Ｌ）が、全てのタップにわたる最大平均エネルギーが乗じられた第１の閾値  
【数１６】
2008537446.tif 000018
【００６１】
よりも大きい場合、第２の比較がなされる。タップＬのエネルギーＡｖｅＥ（Ｌ）が小さい場合、そのタップは、信号を計算するために使用される経路のセットＳに含まれていない（５５０’’）。これは、弱い信号の経路が選択されないことを保証する。
【００６２】
（エネルギーウィンドウ仮説を用いた最初のＦＦＴウィンドウ位置の修正（４５０））
この実施形態では、チャネルインパルス応答の実際の幅は、受信機に知られていない最初のタップ位置から、Ｐ個のタップよりも小さいと仮定される。この実施形態では、ｈｙｐ（τ）と呼ばれるエネルギーウィンドウ仮説が定義される。その開始点がＬｍｉｎからτチップであり、終了点が  
【数１７】
2008537446.tif 000019
【００６３】
であるウィンドウにわたるエネルギーは、下記式によって表される。
【数１８】
2008537446.tif 000020
【００６４】
Ｌｍｉｎ及びＬｍａｘの推定値は、以下のように修正されうる。
【数１９】
2008537446.tif 000021
【００６５】
ブロック５００及びそれ以降の全てのステップは、オリジナルのＬｍｉｎ及びＬｍａｘの代わりに、これら修正されたＬｍｉｎ’及びＬｍａｘ’の値を用いて実行されうる。
【００６６】
ブロック４５０はオプションブロックであることが注目される。図１０を参照されたい。
【００６７】
当該技術における熟練者であれば、これら情報および信号が、種々異なった技術や技法を用いて表されることを理解するであろう。例えば、上述した記載の全体で引用されているデータ、指示、命令、情報、信号、ビット、シンボル、およびチップは、電圧、電流、電磁波、磁場または磁性粒子、光学場または光学微粒子、あるいはこれら何れかの組み合わせによって表現されうる。
【００６８】
これら熟練者であれば、更に、ここで開示された実施形態に関連して記載された様々な説明的論理ブロック、モジュール、回路、およびアルゴリズムステップが、電子工学ハードウェア、コンピュータソフトウェア、あるいはこれらの組み合わせとして実現されることを理解するであろう。ハードウェアとソフトウェアとの相互互換性を明確に説明するために、様々に例示された部品、ブロック、モジュール、回路、およびステップが、それらの機能に関して一般的に記述された。それら機能がハードウェアとして又はソフトウェアとして実現されているかは、特定のアプリケーション及びシステム全体に課せられている設計制約に依存する。熟練した技術者であれば、各特定のアプリケーションに応じて変更した方法で上述した機能を実施しうる。しかしながら、この適用判断は、本発明の範囲から逸脱したものと解釈されるべきではない。
【００６９】
ここで開示された実施形態に関連して記述された様々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００７０】
ここで開示された実施形態に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶メディアに収納されうる。実例となる記憶メディアは、プロセッサがそこから情報を読み取り、またそこに情報を書き込むことができるようにプロセッサに結合される。または、記憶メディアはプロセッサに統合されうる。このプロセッサと記憶メディアは、ＡＳＩＣ内に存在することができる。ＡＳＩＣは、ユーザ端末内に存在することもできる。あるいはこのプロセッサと記憶メディアは、ユーザ端末内のディスクリート部品として存在しうる。
【００７１】
開示された実施形態における上述の記載は、当該技術分野におけるいかなる人であっても、本発明の活用または利用を可能とするように提供される。これらの実施形態への様々な変形例もまた、当該技術分野における熟練者に対しては明らかであって、ここで定義された一般的な原理は、本発明の主旨または範囲を逸脱せずに他の実施形態にも適用されうる。このように、本発明は、ここで示された実施形態に制限されるものではなく、ここで記載された原理と新規の特徴に一致した最も広い範囲に相当するものを意図している。
【図面の簡単な説明】
【００７２】
【図１】図１は、従来技術に従ったＯＦＤＭサブキャリアの周波数領域ポジショニングを示すＯＦＤＭチャネル帯域幅内の典型的なＯＦＤＭ信号の例である。
【図２】図２は、従来技術による典型的なＯＦＤＭ送信機のブロック図である。
【図３】図３は、従来技術によるＯＦＤＭ信号の例である。
【図４】図４は、本発明のＯＦＤＭ受信機のブロック図である。
【図５】図５は、本方法及び装置によって講じられるステップを示すトップレベルフローチャートである。
【図６】図６は、ＦＦＴウィンドウの初期位置を設定する場合に講じられるステップを示すフローチャートである。
【図７】図７は、ＦＦＴウィンドウ位置をリファインするために講じられるステップを示すフローチャートである。
【図８】図８は、各タップの平均エネルギーが、全タップの最小平均エネルギーが乗じられた第１の閾値と比較される実施形態において講じられるステップを示すフローチャートである。
【図９】図９は、各タップの平均エネルギーが、全タップの最大平均エネルギーが乗じられた第１の閾値と比較される実施形態において講じられるステップを示すフローチャートである。
【図１０】図１０は、チャネル推定値及びＦＦＴウィンドウ位置を決定するためにＡｖｅＥ（Ｌ）とともに使用される初期ＦＦＴウィンドウ推定値Ｌｍｉｎ’及びＬｍａｘ’を改訂するためにｈｙｐ（τ）と称されるエネルギーウィンドウ仮説が使用される実施形態で講じられるステップを示すフローチャートである。
【図１】
2008537446.tif 000022
【図２】
2008537446.tif 000023
【図３】
2008537446.tif 000024
【図４】
2008537446.tif 000025
【図５】
2008537446.tif 000026
【図６】
2008537446.tif 000027
【図７】
2008537446.tif 000028
【図８】
2008537446.tif 000029
【図９】
2008537446.tif 000030
【図１０】
2008537446.tif 000031
【国際調査報告】
2008537446.tif 000032
2008537446.tif 000033
2008537446.tif 000034